(57)【特許請求の範囲】
【請求項１】
正面板とこれに対向する背面板との間に配置されたステージ上に、紙幣を厚さ方向に積層して集積する紙幣収納庫において、
前記正面板と背面板の前記ステージの上方に、それぞれ集積する紙幣を搬入する搬入口を設けると共に、
前記それぞれの搬入口に、
前記搬入口から搬入された紙幣を挟持して前記ステージ上に放出する、フィードローラとこれを押圧するプレッシャローラと紙幣を叩き落とす舌片が設けられた舌片車とを有する集積機構と、
前記フィードローラとプレッシャローラの間に挟持された紙幣の搬入方向の先端を前記ステージの方向へ導く方向に傾斜したガイド部と、前記ガイド部の搬入方向下流側の端部に設けられ反対側の前記集積機構から搬入された紙幣を衝突させることで集積機構の挟持部への紙幣の進入を防止するストッパ部とを有する集積レバーと、を設け、
一方の前記集積機構により搬入された紙幣の搬入方向の先端が他方の前記集積レバーのストッパ部に衝突したときに、前記一方の集積機構の舌片車の舌片で当該紙幣の後端を叩き落とすことを特徴とする紙幣収納庫。
【請求項２】
正面板およびこれに対向する背面板を有する筐体と、前記正面板側と背面板側にそれぞれ搬入口を有する紙幣収納庫と、紙幣の入出金口と、搬送された紙幣に対する各種の鑑別を行う鑑別部と、紙幣を一時保留する一時保留部と、複数の金種別カセットと、前記各部の間を接続して紙幣を搬送する搬送路と、を備えた紙幣入出金機であって、
前記紙幣収納庫と前記入出金口と前記鑑別部と前記一時保留部とを前記筐体の上部に配置すると共に前記複数の金種別カセットを前記筐体の下部に配置し、
前記複数の金種別カセット上の搬送路を、前記紙幣収納庫の背面板側の搬入口に接続したことを特徴とする紙幣入出金機。
【請求項３】
対向配置された２つの搬入口を有する紙幣収納庫と、紙幣の入出金口と、搬送された紙幣に対する各種の鑑別を行う鑑別部と、紙幣を一時保留する一時保留部と、金種別カセットと、を備えた紙幣入出金機であって、
前記鑑別部に一方から搬送されて鑑別を行った紙幣を一方の前記搬入口から前記紙幣収納庫に収納し、
前記鑑別部に他方から搬送されて鑑別を行った紙幣を他方の前記搬入口から前記紙幣収納庫に収納することを特徴とする紙幣入出金機。
【請求項４】
請求項３に記載の紙幣紙幣入出金機において、
入金取引のときに、前記一方の搬入口から前記紙幣収納庫に収納し、
出金取引のときに、前記他方の搬入口から前記紙幣収納庫に収納することを特徴とする紙幣入出金機。
【発明の詳細な説明】
【技術分野】
【０００１】
本発明は、複数の紙幣をステージ上に厚さ方向に積層して集積する紙幣収納庫およびそれを備えた紙幣入出金機に関する。
【背景技術】
【０００２】
従来の紙幣入出金機は、顧客が投入した紙幣を受入れる入出金口と、搬送された紙幣の真偽や正損、金種等を鑑別する鑑別部と、出金に用いる紙幣を金種別に収納する金種別カセットと、顧客が投入した紙幣を一時保留する、各金種別カセットの上部に設けられた金種別一時保留板と、リジェクト紙幣を収納するリジェクトカセットと、前記の各部の間を接続して紙幣を搬送する搬送路とを備え、入金取引時に、鑑別部で入金には適さないと鑑別された紙幣は入出金口へ搬送して顧客に返却し、再利用可能と鑑別された紙幣は金種別一時保留板上に集積し、再利用不可能と鑑別された紙幣はリジェクトカセットへ搬送して収納し、出金取引時に、金種別カセットから繰出された出金用の紙幣の中で、鑑別部で出金不可能と鑑別された紙幣は、鑑別部から直接リジェクトカセットへ搬送して収納している（例えば、特許文献１参照。）。
【０００３】
また、紙幣入出金機の中には、独立した１つの一時保留部を備えているものがあり、図７に示すように、その紙幣入出金機１は、顧客が投入した紙幣を１枚毎に分離して繰出す分離機構２ａ、顧客に引渡す紙幣等を集積する集積機構２ｂ、シャッタ３を有する入出金口２と、搬送された紙幣の真偽や正損、金種等を鑑別する鑑別部４と、顧客が投入した紙幣を一時保留する分離集積機構５ａが設けられた一時保留部５と、出金用の紙幣を設定された金種に応じて収納する分離集積機構７ａ〜７ｄが設けられた複数の金種別カセット６ａ〜６ｄと、リジェクト紙幣を収納する集積機構８ａが設けられたリジェクト紙幣収納庫８と、前記の各部の間を接続して紙幣を搬送する複数の搬送路９ａ〜９ｆとを備え、一時保留部５とリジェクト紙幣収納庫８とを、入出金口２の背面側で金種別カセット６の上方に高さ方向に並べて配置し、入金取引における投入紙幣の取込時に、入出金口２から搬送路９ａによって鑑別部４へ搬送され、鑑別部４で入金には適さないと鑑別された紙幣は鑑別部４から搬送路９ｂ、９ｃにより入出金口２へ搬送して顧客に返却し、取込可能と鑑別された紙幣は搬送路９ｂにより一時保留部５へ搬送して集積し、入金金額の確定後の紙幣の収納時に、一時保留部５から搬送路９ｂにより鑑別部４へ搬送され、鑑別部４で入金収納時のリジェクト紙幣と鑑別された紙幣は、搬送路９ａ、９ｄ、９ｆによりリジェクト紙幣収納庫８へ搬送して収納し、出金取引時に、出金用の紙幣が金種別カセット６から繰出されて搬送路９ｄ、９ａにより鑑別部４へ搬送され、鑑別部４で出金時のリジェクト紙幣と鑑別された紙幣は、鑑別部４から搬送路９ｄ、９ｅによって直接リジェクト紙幣収納庫８へ搬送して収納し、出金可能と鑑別された紙幣は、搬送路９ｂ、９ｃによって入出金口２へ搬送して顧客に引渡している。
【先行技術文献】
【特許文献】
【０００４】
【特許文献１】特開２００１−２２９４３０号公報（段落００１２−００２４、第１図）
【発明の概要】
【発明が解決しようとする課題】
【０００５】
しかしながら、上述した従来の図７に示す紙幣入出金機においては、リジェクト紙幣収納庫８に収納されるリジェクト紙幣の搬送経路が、入金収納時の搬送路９ａ、９ｄ、９ｅによる経路と、出金時の搬送路９ｄ、９ｆによる経路の２系統の経路があり、これらの経路により搬送された紙幣をリジェクト紙幣収納庫８内に集積する集積機構８ａは１つであるため、特に、入金収納時の搬送経路、つまり鑑別部４から搬送路９ａ、９ｄ、９ｆを経由してリジェクト紙幣収納庫８に至る搬送経路が長くかつ複雑となって搬送路におけるジャムを発生させる要因になると共に、紙幣入出金機１の外形を大きくしてしまうという問題がある。
【０００６】
これは、金種別カセット６上の搬送路９ｄの収納紙幣の搬送方向下流側の端部に接続する搬送路９ｆを、その接続部でＵターンさせ、リジェクト紙幣収納庫８の下方を通過させた後にリジェクト紙幣収納庫８の集積機構８ａに導いて搬送路の曲り部が増加するためであり、また金種別カセット６とリジェクト紙幣収納庫８との間の空間を２本の搬送路を形成する空間とすることが必要となるためである。このことは、特に紙幣入出金機１の高さを高くしている要因となっている。
【０００７】
また、一般に収納庫の集積機構を１つとしているのは、集積機構を対向させて２つ設けると、図８に示すように、一方の集積機構から放出された先行紙幣の先端が他方の集積機構に乗り上げ、その状態で後続紙幣が放出されると、後続紙幣の先端が先行紙幣に追突して集積不良が発生し、反対側の集積機構から紙幣が搬入されると、乗り上げている紙幣に搬入される紙幣の先端が衝突してジャムが発生する要因となるからである。
【０００８】
本発明は、上記の問題点を解決するためになされたもので、対向配置した２つの集積機構を有する紙幣収納庫への紙幣の集積を円滑に行う手段を提供することを目的とする。
【０００９】
また、その紙幣収納庫によって、紙幣入出金機の高さを低くすることを目的とする。
【課題を解決するための手段】
【００１０】
本発明は、上記課題を解決するために、正面板とこれに対向する背面板との間に配置されたステージ上に、紙幣を厚さ方向に積層して集積する紙幣収納庫において、前記正面板と背面板の前記ステージの上方に、それぞれ集積する紙幣を搬入する搬入口を設けると共に、前記それぞれの搬入口に、前記搬入口から搬入された紙幣を挟持して前記ステージ上に放出する、フィードローラとこれを押圧するプレッシャローラと紙幣を叩き落とす舌片が設けられた舌片車とを有する集積機構と、前記フィードローラとプレッシャローラの間に挟持された紙幣の搬入方向の先端を前記ステージの方向へ導く方向に傾斜したガイド部と、前記ガイド部の搬入方向下流側の端部に設けられ反対側の前記集積機構から搬入された紙幣を衝突させることで集積機構の挟持部への紙幣の進入を防止するストッパ部とを有する集積レバーと、を設け、一方の前記集積機構により搬入された紙幣の搬入方向の先端が他方の前記集積レバーのストッパ部に衝突したときに、前記一方の集積機構の舌片車の舌片で当該紙幣の後端を叩き落とすことを特徴とする。
【００１１】
また、正面板およびこれに対向する背面板を有する筐体と、前記正面板側と背面板側にそれぞれ搬入口を有する紙幣収納庫と、紙幣の入出金口と、搬送された紙幣に対する各種の鑑別を行う鑑別部と、紙幣を一時保留する一時保留部と、複数の金種別カセットと、前記各部の間を接続して紙幣を搬送する搬送路と、を備えた紙幣入出金機であって、前記紙幣収納庫と前記入出金口と前記鑑別部と前記一時保留部とを前記筐体の上部に配置すると共に前記複数の金種別カセットを前記筐体の下部に配置し、前記複数の金種別カセット上の搬送路を、前記紙幣収納庫の背面板側の搬入口に接続したことを特徴とする。
【発明の効果】
【００１２】
これにより、本発明は、対向配置された２つの集積機構によって両方向から搬入される紙幣の先端を、ガイド部でステージの方向へ導きながら、またはストッパ部でフィードローラとプレッシャローラの挟持部への進入を防止しながら、搬入された紙幣Ｐを円滑にステージ上に集積することができるという効果が得られる。
【００１３】
また、金種別カセット上の搬送路から紙幣収納庫へ至る搬送路の曲り部を減少させて搬送路におけるジャムの発生を抑制することができると共に、金種別カセットと紙幣収納庫との間の空間を１本の搬送路を形成する空間として、紙幣入出金機の高さを低くすることができる。
【図面の簡単な説明】
【００１４】
【図１】実施例の紙幣入出金機の内部構成を示す説明図
【図２】実施例のリジェクト紙幣収納庫の内部構成を示す説明図
【図３】実施例のリジェクト紙幣収納庫の通常の状態の紙幣の集積動作を示す説明図
【図４】実施例のリジェクト紙幣収納庫の通常の状態の紙幣の集積動作を示す説明図
【図５】実施例のリジェクト紙幣収納庫の折れ癖のある状態の紙幣の集積動作を示す説明図
【図６】実施例のリジェクト紙幣収納庫の折れ癖のある状態の紙幣の集積動作を示す説明図
【図７】独立した１つの一時保留部を備えた紙幣入出金機の内部構成を示す説明図
【図８】２つの集積機構を備えた紙幣収納庫の課題を示す説明図
【発明を実施するための形態】
【００１５】
以下に、図面を参照して本発明による紙幣入出金機の実施例について説明する。
【実施例】
【００１６】
以下に、図１ないし図６を用いて本実施例の紙幣入出金機について説明する。なお、上記した図７と同様の部分は同一の符号を付して示す。
【００１７】
図１において、１は紙幣入出金機であり、正面板１ａとこれに対向配置された背面板１ｂ、正面板１ａと背面板１ｂの両側の側方に配置された２枚の側面板１ｃ、天板１ｄ、底板１ｅで形成された筐体内に、以下に示す各部を搭載して、上位装置としての図示しない現金自動預払機等の自動取引装置に装着されており、顧客が投入した紙幣Ｐを受入れ、これを鑑別および計数して収納し、顧客に支払う紙幣Ｐを計数して顧客に引渡す機能等を有している。
【００１８】
２は紙幣入出金機１の入出金口であり、筐体の上部の正面板１ａ側の隅部に配置され、その上部の開口には、顧客との入出金取引での紙幣Ｐの投入時および引渡し時に開閉するスライド式のシャッタ３が設けられており、顧客が投入した紙幣Ｐを１枚毎に分離して繰出す分離機構２ａ、および顧客に引渡す出金紙幣や返却紙幣等を集積する集積機構２ｂ等が設けられている。
【００１９】
分離機構２ａは、フィードローラとピックアップローラ、フィードローラに対向配置されたリバースローラ等で構成され、集積機構２ｂは、フィードローラとこれを押圧するプレッシャローラ、およびフィードローラとプレッシャローラの間から放出された紙幣Ｐの放出方向の後端を叩き落とす複数の舌片を有する舌片車等で構成されている。
【００２０】
鑑別部４は、入出金口２の下方で、紙幣入出金機１の筐体の中央部に配置され、搬送された紙幣Ｐに対する各種の鑑別を行う機能、つまり紙幣Ｐの真偽や正損、金種等を識別する機能、および重送、連鎖等の搬送異常を検出する機能等を有している。
【００２１】
５は一時保留部であり、紙幣入出金機１の筐体の上部で、入出金口２の反対側の筐体の背面板１ｂ側に配置され、入金取引において入出金口２に投入された紙幣Ｐで、鑑別部４により真券と鑑別され取込可能と鑑別された紙幣Ｐを集積して一時保留する集積部であって、紙幣Ｐを１枚毎に分離して繰出すと共に搬送された紙幣Ｐを集積する分離集積機構５ａを有している。
【００２２】
６は金種別カセットであり、出金に用いる紙幣Ｐを設定された金種に応じて収納する収納庫であって、本実施例では、紙幣入出金機１の筐体の下部の底板１ｅ上に、４つの金種別カセット６ａ〜６ｄが前後方向（図１において、左右方向をいう。）に１列に並べて配置されており、それぞれの金種別カセット６には、紙幣Ｐを１枚毎に分離して繰出すと共に搬送された紙幣Ｐを集積する分離集積機構７ａ〜７ｄが設けられている。
【００２３】
上記した一時保留部５の分離集積機構５ａ、および各金種別カセット６の分離集積機構７は、フィードローラとピックアップローラ、フィードローラに対向配置されたリバースローラおよびフィードローラとリバースローラとの間から放出された紙幣Ｐの放出方向の後端を叩き落とす複数の舌片を有する舌片車等で構成されている。
【００２４】
１１は紙幣収納庫としてのリジェクト紙幣収納庫であり、入金収納時および出金時のリジェクト紙幣を集積して収納する収納庫であって、入出金口２の反対側の筐体の背面板１ｂ側で、一時保留部５の下方に高さ方向に並べて配置され、対向配置された２つの集積機構１２ａ、１２ｂを備えている。
【００２５】
９ａ〜９ｅおよび１０は搬送路であり、ベルト対またはローラ対で紙幣Ｐを挟持して搬送する搬送路であって、上記の各部の間を接続して紙幣Ｐを搬送する機能を有している。
【００２６】
また、搬送路９および搬送路１０の各分岐部には、図示しない切替ブレード等により紙幣Ｐの搬送方向を切替える切替機構が設けられている。
【００２７】
搬送路９ａは、入出金口２の分離機構２ａと、鑑別部４との間を接続するように設けられている。
【００２８】
搬送路９ｂは、鑑別部４と、一時保留部５の分離集積機構５ａとの間を接続するように設けられている。
【００２９】
搬送路９ｃは、搬送路９ｂの途中に設けられた分岐部と、入出金口２の集積機構２ｂとの間を接続するように設けられている。
【００３０】
搬送路９ｄは、搬送路９ａの途中に設けられた分岐部と、各金種別カセット６の分離集積機構７との間を接続するように設けられている。
【００３１】
搬送路９ｅは、搬送路９ｂに設けられた入出金口２への分岐部と鑑別部４との間に設けられた分岐部と、リジェクト紙幣収納庫１１の集積機構１２ａとの間を接続するように設けられている。
【００３２】
搬送路１０は、図７に示した搬送路９ｆに替えて設けられた搬送路であって、金種別カセット６上の搬送路９ｄの収納紙幣の搬送方向下流側の端部、つまり筐体の背面板１ｂ側の端部から、その直上に配置されたリジェクト紙幣収納庫１１と筐体の背面板１ｂとの間を上方に伸張して、リジェクト紙幣収納庫１１の集積機構１２ｂに至るように設けられている。
【００３３】
本実施例の金種別カセット６には、出金に用いる紙幣Ｐを金種別に収納するように設定され、例えば、金種別カセット６ａ、６ｂには１万円紙幣（万券という。）を、金種別カセット６ｃ、６ｄには千円紙幣（千券という。）を収納するように設定されている。
【００３４】
また、リジェクト紙幣収納庫１１には、入金取引における紙幣の収納時に、鑑別部４で金種別カセット６への収納対象外と鑑別された紙幣（例えば、５千円紙幣（５千券という。）と２千円紙幣（２千券という。）、収納対象の金種ではあるが、汚れ、損傷等のために出金に用いることができない損券と鑑別された紙幣）や、重送等の搬送異常により金種を鑑別できなかった紙幣等の入金収納時のリジェクト紙幣、および出金取引における紙幣の出金時に、重送等の搬送異常により金種を鑑別できなかった紙幣や入金収納時一旦金種別カセット６に収納されたが、出金時に損券と鑑別された紙幣等の出金時のリジェクト紙幣を混在させて収納するように設定されている。
【００３５】
本実施例のリジェクト紙幣収納庫１１は、図２に示すように、入出金口２側に配置された正面板１１ａとこれに対向配置された背面板１１ｂ、正面板１１ａと背面板１１ｂの両側の側方に配置された２枚の側面板１１ｃ、天板１１ｄ、底板１１ｅで形成された収納箱内に、以下に示す各部を配置して構成されている。
【００３６】
１３はリジェクト紙幣収納庫１１のステージであり、紙幣Ｐを厚さ方向に積層して集積する板状部材であって、正面板１１ａと背面板１１ｂとの間の収納箱の中央部に配置され、その下面は、底板１１ｅとの間に設けられた圧縮コイルスプリング等のバネ部材１３ａで天板１１ｄの方向、つまり上方に付勢されており、上面上に集積された紙幣Ｐの自重により降下するよう構成されている。
【００３７】
１４ａは搬入口であり、リジェクト紙幣収納庫１１に収納するために搬送路９ｅにより搬送された出金時のリジェクト紙幣が搬入される開口であって、正面板１１ａのステージ１３の上方に設けられており、その搬入方向の下流側には集積機構１２ａが配置されている。
【００３８】
集積機構１２ａは、搬送路９ｅから搬入口１４ａで受渡された紙幣Ｐを挟持してリジェクト紙幣収納庫１１内に搬入するための、フィードローラ１５ａとこれを押圧するプレッシャローラ１６ａ、およびフィードローラ１５ａとプレッシャローラ１６ａの間からステージ１３上に放出された紙幣Ｐの放出方向（搬入方向と同じ方向）の後端を叩き落とす複数の舌片を有し、フィードローラ１５ａと同軸に設けられた舌片車１７ａ等で構成されている。
【００３９】
１４ｂは搬入口１４ａの反対側に対向して設けられた搬入口であり、リジェクト紙幣収納庫１１に集積して収納するために搬送路１０により搬送された入金収納時のリジェクト紙幣が搬入される開口であって、背面板１１ｂのステージ１３の上方に設けられており、その搬入方向の下流側には集積機構１２ｂが配置されている。
【００４０】
集積機構１２ｂは、上記集積機構１２ａと同様に構成されたフィードローラ１５ｂ、プレッシャローラ１６ｂ、舌片車１７ｂ等で構成され、これらが集積機構１２ａと勝手違いに配置されている。
【００４１】
２０は集積レバーであり、集積機構１２ａのフィードローラ１５ａとプレッシャローラ１６ａとの間に挟持された紙幣Ｐの搬入方向の先端をステージ１３の方向へ導く方向に傾斜したガイド部２０ａと、ガイド部２０ａの搬入方向下流側の端部に設けられた、ステージ１３の鉛直方向でステージ１３から離れる方向に延在するストッパ部２０ｂとを有しており、そのストッパ部２０ｂは、フィードローラ１５ａ外周面の搬入方向下流側、つまり内側に配置されている。
【００４２】
また、集積レバー２０は、そのガイド部２０ａのストッパ部２０ｂの反対側の端部、つまり搬入口１４ａ側の端部に設けられた回動支点２０ｃを中心に回動可能に支持され、自重またはトーションスプリング等の弱いバネの付勢力によってフィードローラ１５ａとプレッシャローラ１６ａの挟持部を塞ぐ方向に付勢されており、ガイド部２０ａによって搬入される紙幣Ｐの先端をステージ１３側の方向へ転向させると共に、ストッパ部２０ｂによって反対側の集積機構１２ｂから放出された紙幣Ｐの先端を衝突させ、その先端がフィードローラ１５ａとプレッシャローラ１６ａの挟持部へ進入することを防止する機能を有している。
【００４３】
２１は集積機構１２ｂに設けられた集積レバーであり、集積レバー２０と同様に構成されたガイド部２１ａとストッパ部２１ｂとを有し、回動支点２１ｃを中心に回動可能に支持されて集積レバー２０と同様の機能を有しており、集積レバー２０と勝手違いに配置されている。
【００４４】
２３は上部ガイド板であり、ステージ１３と対向して天板１１ｄ側に配置されており、搬入口１４ａまたは搬入口１４ｂから搬入される紙幣Ｐの先端を、それぞれフィードローラ１５とプレッシャローラ１６の挟持部へ導く機能を有している。
【００４５】
２５は集積機構１２ａに設けられた正面ガイド板であり、上部ガイド板２３とフィードローラ１５ａとプレッシャローラ１６ｂの挟持部を挟んで対向配置された下部ガイド部２５ａと、ステージ１３の正面板１１ａ側に配置された整位部２５ｂとで構成され、搬入口１４ａから搬入される紙幣Ｐの先端をフィードローラ１５ａとプレッシャローラ１６ｂの挟持部へ導くと共に、ステージ１３上に集積された紙幣Ｐの端部を整列させて整位する機能を有している。
【００４６】
２６は集積機構１２ｂに設けられた背面ガイド板であり、正面ガイド板２５と同様に構成された下部ガイド部２６ａと整位部２６ｂとを有して正面ガイド板２５と同様の機能を有しており、正面ガイド板２５と勝手違いに配置されている。
【００４７】
２８はビルストッパであり、正面ガイド板２５および背面ガイド板２６の整位部２５ｂ、２６ｂの上部のステージ１３の両側に配置され、それぞれ回動支点２８ａを中心に回動可能に支持されてトーションスプリング等の弱いバネの付勢力によってステージ１３の方向に付勢されており、それぞれの対向して配置された集積機構２０または２１から放出された紙幣Ｐの先端が衝突したときにその反対側に移動して、衝突による衝撃力を吸収する機能を有している。
【００４８】
また、ビルストッパ２８のステージ１３側には、放出される紙幣Ｐの先端と平行に形成された複数の突条２８ｂが設けられており、紙幣Ｐの先端が衝突したときに、その滑りを防止できるようになっている。
【００４９】
本実施例の突条２８ｂは、その断面形状が鋸歯状に形成されているが、断面形状は前記に限らず、三角山状、波状、正弦曲線状等であってもよい。
【００５０】
上記の構成の作用について説明する。
【００５１】
紙幣入出金機１によって入金取引を行う場合は、装着されている上位装置（本実施例では現金自動預払機）から入金指令を受けた紙幣入出金機１は、入出金口２のシャッタ３を開放し、入出金口２に紙幣Ｐが投入されると、入出金口２のシャッタ３を閉鎖して投入された紙幣Ｐを一時保留部５に取込む取込動作を開始する。
【００５２】
すなわち、紙幣入出金機１は、入出金口２に投入された紙幣Ｐを分離機構２ａにより繰出して搬送路９ａにより鑑別部４へ搬送し、鑑別部４で真券であって取込可能と鑑別された紙幣Ｐは、搬送路９ｂにより一時保留部５の分離集積機構５ａへ搬送して集積し、集積した紙幣Ｐの金種別の枚数を計数する。
【００５３】
このとき、鑑別部４で外国紙幣や偽券、重送等による金種不明等により入金には適さないと鑑別された紙幣Ｐは、搬送路９ｂ、９ｃにより入出金口２の集積機構２ｂへ搬送して集積し、顧客に返却する。
【００５４】
そして、紙幣入出金機１は、入出金口２の全ての紙幣Ｐの取込動作を終えると、計数した金種別の枚数を基に入金金額を算出して上位装置へ通知し、上位装置で入金金額が確定されると、確定された紙幣Ｐを収納する入金時の収納動作を開始する。
【００５５】
すなわち、紙幣入出金機１は、一時保留部５に集積されている確定された紙幣Ｐを分離集積機構５ａによって繰出し、搬送路９ｂにより鑑別部４へ搬送し、鑑別部４で収納対象の正券（本実施例では、万券、千券）と鑑別された紙幣Ｐは、その金種を基に当該金種が設定された金種別カセット６を特定し、搬送路９ａ、９ｄにより特定した金種別カセット６へ当該紙幣を搬送し、その分離集積機構７によって金種別カセット６内に収納し、収納した紙幣Ｐの枚数を金種別カセット６別に計数する。
【００５６】
このとき、鑑別部４で、上記した入金収納時のリジェクト紙幣と鑑別された紙幣Ｐは、搬送路９ａ、９ｄ、１０によりリジェクト紙幣収納庫１１の集積機構１２ｂへ搬送して集積する。
【００５７】
このようにして、本実施例の紙幣入出金機１による入金取引が行われる。
【００５８】
出金取引の場合は、上位装置から出金金額を添付した出金指令を受けた紙幣入出金機１は、金種別カセット６に収納している紙幣Ｐを顧客に引渡す出金動作を開始する。
【００５９】
すなわち、紙幣入出金機１は、出金金額に相当する紙幣Ｐの金種別の出金枚数を演算し、該当する金種別カセット６からそれぞれの分離集積機構７によって出金枚数の紙幣Ｐを繰出して、搬送路９ｄ、９ａにより鑑別部４へ搬送し、鑑別部４で正券であって出金可能と鑑別された紙幣Ｐは、搬送路９ｂ、９ｃにより入出金口２の集積機構２ｂへ搬送して集積し、集積した紙幣Ｐの金種別の枚数を計数する。
【００６０】
このとき、鑑別部４で、上記した出金時のリジェクト紙幣と鑑別された紙幣Ｐは、搬送路９ｂ、９ｅによりリジェクト紙幣収納庫１１の集積機構１２ａへ搬送して集積する。
【００６１】
そして、紙幣入出金機１は、出金金額に相当する紙幣Ｐの入出金口２への集積を終えると、入出金口２のシャッタ３を開放して顧客に紙幣Ｐを引渡し、顧客の受取りを確認して出金取引を終了させる。
【００６２】
このようにして、本実施例の紙幣入出金機１による出金取引が行われる。
【００６３】
上記のようにして、入金取引や出金取引が行われている場合の、リジェクト紙幣収納庫１１への紙幣Ｐの集積動作について、図３ないし図６を用いて説明する。
【００６４】
通常の状態の出金時のリジェクト紙幣が、搬送路９ｅによって搬入口１４ａに搬送されてくると、図３に示すように、その紙幣Ｐは集積機構１２ａのフィードローラ１５ａとプレッシャローラ１６ａに受渡されて、これらの間に挟持され、その先端で集積レバー２０のガイド部２０ａを押上げながら搬入方向へ搬送される。
【００６５】
このとき、集積レバー２０は、図３に示すように、回動支点２０ｃを中心にストッパ部２０ｂが天板１１ｄの方向に回動するが、本実施例の集積レバー２０は、フィードローラ１５ａとプレッシャローラ１６ａの挟持部を塞ぐ方向に付勢されているので、紙幣Ｐは集積レバー２０のガイド部２０ａに沿って搬入され、その先端をステージ１３の方向に向けて斜めに放出される。
【００６６】
そして、図４に示すように、放出された紙幣Ｐは、その先端が集積機構１２ｂ側のビルストッパ２８に衝突して衝撃が和らげられ突条２８ｂで滑りを防止されると共に、その後端を舌片車１７ａの舌片に叩き落とされてステージ１３上に集積される（図４に示す２点鎖線参照）。
【００６７】
また、折れ癖のある状態の出金時のリジェクト紙幣が、搬送路９ｅによって搬入口１４ａに搬送されてくると、図５に示すように、その紙幣Ｐは集積機構１２ａのフィードローラ１５ａとプレッシャローラ１６ａに受渡されて、これらの間に挟持され、その先端で集積レバー２０のガイド部２０ａを押上げながら搬入方向へ搬送され、集積レバー２０が、回動支点２０ｃを中心にストッパ部２０ｂが天板１１ｄの方向に回動するが、紙幣Ｐの折れ癖によってその先端がステージ１３と平行に放出される場合がある。
【００６８】
この場合に、本実施例の集積レバー２１には、フィードローラ１５ｂの内側にストッパ部２１ｂが設けられ、フィードローラ１５ｂとプレッシャローラ１６ｂの挟持部を塞いでいるので、紙幣Ｐの先端がストッパ部２１ｂに衝突して、挟持部への先端の進入が防止される。
【００６９】
そして、図６に示すように、放出された紙幣Ｐは、その先端が反対側の集積レバー２１のストッパ部２１ｂに衝突し、その後端が舌片車１７ａの舌片に叩き落とされてステージ１３上に集積される（図６に示す２点鎖線参照）。
【００７０】
通常のまたは折れ癖のある状態の入金収納時のリジェクト紙幣が、搬送路１０によって搬入口１４ｂに搬送されてきた場合も同様である。
【００７１】
以上説明したように、本実施例では、リジェクト紙幣収納庫の正面板と背面板のステージの上方にそれぞれ集積する紙幣Ｐを搬入する搬入口を設け、それぞれの搬入口に、搬入された紙幣Ｐを挟持してステージ上に放出する、フィードローラとこれを押圧するプレッシャローラを有する集積機構と、フィードローラとプレッシャローラの間に挟持された紙幣Ｐの搬入方向の先端をステージの方向へ導くガイド部と、ガイド部の搬入方向下流側の端部に設けられたストッパ部とを有する集積レバーとを設けたことによって、対向配置された２つの集積機構によって両方向から搬入される紙幣Ｐの先端を、ガイド部でステージの方向へ導きながら、またはストッパ部でフィードローラとプレッシャローラの挟持部への進入を防止しながら、搬入された紙幣Ｐを円滑にステージ上に集積することができる。
【００７２】
また、対向配置された２つの集積機構によって紙幣Ｐを両方向から搬入することができるリジェクト紙幣収納庫を備えた紙幣入出金機の搬送路に、鑑別部から複数の金種別カセットに至る金種別カセット上の搬送路の筐体の背面板側の端部から、その上方に配置されたリジェクト紙幣収納庫と筐体の背面板との間を上方に伸張してリジェクト紙幣収納庫に至る搬送路を設けたことによって、金種カセット上の搬送路からリジェクト紙幣収納庫へ至る搬送路の曲り部を減少させて搬送路におけるジャムの発生を抑制することができると共に、金種別カセットとリジェクト紙幣収納庫との間の空間を１本の搬送路を形成する空間とすることができ、図７に示した紙幣入出金機に較べてその高さを低くすることができる。
【００７３】
なお、上記実施例においては、各金種別カセットに設定された収納金種は、万券と千券であるとして説明したが、収納金種は前記に限らず、各金種別カセットの収納金種をそれぞれ万券、５千券、２千券、千券としても、各金種を適宜組合せて混在させて収納するようにしてもよく、いずれか１つの金種別カセットに損券を混在させて収納するように設定してもよい。この場合に、リジェクト紙幣収納庫には、少なくとも入金収納時および出金時において鑑別部で搬送異常と鑑別されたリジェクト紙幣を収納するようにする。
【符号の説明】
【００７４】
１    紙幣入出金機
２    入出金口
２ａ  分離機構
２ｂ、８ａ、１２ａ、１２ｂ  集積機構
３    シャッタ
４    鑑別部
５    一時保留部
５ａ、７、７ａ〜７ｄ  分離集積機構
６、６ａ〜６ｄ  金種別カセット
８、１１  リジェクト紙幣収納庫
９、９ａ〜９ｆ、１０  搬送路
１３  ステージ
１３ａ  バネ部材
１４、１４ａ、１４ｂ  搬入口
１５、１５ａ、１５ｂ  フィードローラ
１６、１６ａ、１６ｂ  プレッシャローラ
１７ａ、１７ｂ  舌片車
２０、２１  集積レバー
２０ａ、２１ａ  ガイド部
２０ｂ、２１ｂ  ストッパ部
２０ｃ、２１ｃ、２８ａ  回動支点
２３  上部ガイド板
２５  正面ガイド板
２５ａ、２６ａ  下部ガイド部
２６ｂ、２６ｂ  整位部
２６  背面ガイド板
２８  ビルストッパ
２８ｂ  突条
【図１】
0005482283.tif 000002
【図２】
0005482283.tif 000003
【図３】
0005482283.tif 000004
【図４】
0005482283.tif 000005
【図５】
0005482283.tif 000006
【図６】
0005482283.tif 000007
【図７】
0005482283.tif 000008
【図８】
0005482283.tif 000009